(57)【要約】【課題】  容器内の区画となる仕切り板の位置を容易に変更できることを特徴とする食品用容器を提供することを課題とする。【解決手段】  少なくとも底部と側壁部と仕切り部を有する食品容器であって、該底部に仕切り板を差し込んで固定するための多数の溝が設けられており、仕切り板を任意の位置の溝に差し込んで固定し、一つの食品用容器で容易に区画を変更でき、食材に応じて自由に盛り付けすることができることを特徴とする食品用容器とするものである。【選択図】図２
2019099182.tif 000002
【特許請求の範囲】
【請求項１】
少なくとも底部と側壁部と仕切り部を有する食品容器であって、該底部に仕切り板を差し込んで固定するための多数の溝が設けられていることを特徴とする食品用容器。
【請求項２】
仕切り板を差し込むための細長い切り抜き部が設けられた底板が底部に設けられていることを特徴とする食品用容器。
【請求項３】
仕切り板を差し込むための溝は、その上部の溝幅は広く、下部は溝幅が狭くなっていることを特徴とする請求項１に記載の食品用容器。
【請求項４】
仕切り板を差し込むための細長い切り抜き部は、そのその上部の切り抜き部の幅は広く、下部は切り抜き部の幅が狭くなっていることを特徴とする請求項２に記載の食品用容器。
【請求項５】
仕切り板の容器底部の溝に差し込む部分は、先端部分が尖っている楔状となっていることを特徴とする請求項１又は請求項３に記載の食品用容器。
【請求項６】
仕切り板の細長い切り抜き部に差し込む部分は、先端部分が尖っている楔状となっていることを特徴とする請求項２又は請求項４に記載の食品用容器。
【発明の詳細な説明】
【技術分野】
【０００１】
本発明は、容器内を分割する仕切りを持つ食品用容器に関するものである。
【背景技術】
【０００２】
従来、食品用容器は、図１に示すように、容器の内部を複数の区画に分割する仕切りが設けられており、用途に応じて様々な仕切りによる区画が設けられた食品用容器が広く用いられている。
【０００３】
また、弁当箱などの食品用容器などにおいては、容器内を分割する仕切りを持つが、従来は相対する容器側壁に沿って移動し、区画の大きさを変化させて容器内を２分割するものが殆どである（例えば、特許文献１）。
【０００４】
また、容器本体の内部に直交する２枚の仕切りを用い、第１の仕切り板の中心部に切り込み部を設け、第２の仕切り板を直交するように切り込み部で組み合わせ容器本体の内部を４分割に仕切ることができ、第２の仕切り板に沿って第１の仕切り板を、移動させることで仕切られた区画の大きさを任意に変更することができる稼働式仕切り板を有する食品用容器などがある（例えば、特許文献２）。
【先行技術文献】
【特許文献】
【０００５】
【特許文献１】特開２００８−１０００２４号公報
【特許文献２】特開２０１１−２０１５８０号公報
【発明の概要】
【発明が解決しようとする課題】
【０００６】
図１に示すような食品用容器では、仕切りは固定されているので、区画を変えることはできない。
【０００７】
特許文献１では、食品用容器の内部を２分割し、特許文献２では、４分割できるものであり、各々区画の大きさを変更することができるものである。
【０００８】
しかしながら、図１に示すように、食品用容器においては、用途により様々な区画を必要とするものも少なくなく、仕切りを容易に変更でき、様々な区画に対応する食品容器は見当たらない。
【０００９】
本発明は、上記の問題に鑑みてなされたものであり、容器内の区画を容易に変更できることを特徴とする食品用容器を提供することを課題とする。
【課題を解決するための手段】
【００１０】
本発明は諸課題を解決するために、請求項１は、少なくとも底部と側壁部と仕切り部を有する食品容器であって、該底部に仕切り板を差し込んで固定するための多数の溝が設けられていることを特徴とする食品用容器である。
【００１１】
該仕切り板は、食品を仕切ることができ、溝部に差し込んで固定できる板状のものであればいずれでも良く、硬質な紙製、樹脂製、金属製、硬質な布製などでも良い。
【００１２】
該底板は、仕切り板を差し込む溝が設けられるものであればいずれでも良く、紙製、樹脂製、金属製などでも良い。
【００１３】
該溝は、仕切り板を差し込んで固定できる細長い溝であればいずれでも良く、プレス加工で溝を成形しても良く、細長い溝を底部に埋め込んで固定しても良い。
【００１４】
請求項２は、仕切り板を差し込むための細長い切り抜き部が設けられた底板が底部に設けられていることを特徴とする食品用容器である。
【００１５】
該切り抜き部は、仕切り板を差し込んで固定できるものであればいずれでも良く、底板に仕切り板の厚さに対応した細長い切り抜き穴を設けたものでも良い。
【００１６】
該底板は、薄い板であり、仕切り板を差し込むための切り抜き部が設けられており、差し込むことで仕切り板を固定できる程度の板厚であれば良い。
【００１７】
請求項３は、仕切り板を差し込むための溝は、その上部の溝幅は広く、下部は溝幅が狭くなっていることを特徴とする食品用容器である。
【００１８】
溝幅は、上部から下部にかけて滑らかに溝幅が変化するように設けても良く、溝の上部は同じ広い幅となっており、溝の下部は同じ狭い幅となっているものや、上部は傾斜状となっており、下部は同じ狭い幅としたものでも良い。
【００１９】
請求項４は、仕切り板を差し込むための細長い切り抜き部は、そのその上部の切り抜き部の幅は広く、下部は切り抜き部の幅が狭くなっていることを特徴とする食品用容器である。
【００２０】
切り抜き部の幅は、上部から下部にかけて滑らかに切り抜き部の幅が変化するように設けても良く、切り抜き部の上部は同じ広い幅となっており、切り抜き部の下部は同じ狭い幅となっているものや、上部は傾斜状となっており、下部は同じ狭い幅としたものでも良い。
【００２１】
請求項５は、仕切り板の容器底部の溝に差し込む部分は、先端部分が尖っている楔状となっていることを特徴とする食品用容器である。
【００２２】
該先端部分は、先端側が滑らかに細くなっているものでも良い、途中まで滑らかに細くなっており、先端部のみ同じ幅となっているものでも良く、最先端部は鋭角状でも曲面状でも良く、最先端部のみ太くなっているものなどでも良い。
【００２３】
請求項６は、仕切り板の細長い切り抜き部に差し込む部分は、先端部分が尖っている楔状となっていることを特徴とする食品用容器である。
【００２４】
該先端部分は、先端側が滑らかに細くなっているものでも良い、途中まで滑らかに細くなっており、先端部のみ同じ幅となっているものでも良く、最先端部は鋭角状でも曲面状でも良く、最先端部のみ太くなっているものなどでも良い。
【発明の効果】
【００２５】
本発明は以下の効果を奏する。
１）区画を任意に変更して仕切りを設置できる食品用容器を実現できる。
【００２６】
２）区画を任意に変更して仕切りを設置できる食品用容器の底板を実現できる。
【００２７】
３）仕切り板の取り付け、取外しが容易にできる食品用容器を実現できる。
【００２８】
４）仕切り板の取り付け、取外しが容易にできる食品用容器の底板を実現できる。
【００２９】
５）底部の溝又は底板の切り抜き部に容易に固定できる仕切り板を実現できる。
【図面の簡単な説明】
【００３０】
【図１】従来の食品用容器の実施例を示す図である。
【図２】本発明による食品用容器の実施例を示す図である。
【図３】本発明による食品用容器の組立例を示す図である。
【図４】本発明による食品用容器の他の実施例を示す図である。
【図５】本発明による食品用容器のさらに他の実施例を示す図である。
【発明を実施するための形態】
【００３１】
本発明の実施の形態について図面を用いて説明する。
図２は、本発明による食品用容器の実施例を示す図である。
【００３２】
（１）は、平面図であり、（２）は長い仕切り板を示す図であり、（３）は、短い仕切り板を示す図である。
本食品用容器は、底面２と側面３で構成されており、底面２には、縦に２本、横に２本の溝４が形成されており、それらの溝４に任意の長さの薄い仕切り板５を複数枚、取り付けられるようになっている。
【００３３】
該仕切り板５は、厚さが０．３ｍｍ〜２ｍｍ程度の薄い板であり、プラスティック樹脂製の板である。本実施例では、板厚１ｍｍのものを使用した。
【００３４】
図３は、本発明による食品用容器の組立例を示す図である。
【００３５】
（１）は平面図であり、（２）はA-A部断面図である。
【００３６】
容器の手前側の横溝に長い仕切り板５が差し込まれており、手前側の左右の縦溝に各々短い仕切り板５が差し込まれている。
【００３７】
該仕切り板５は、側面３より高さが低くなっている。用途により、高さの異なる仕切り板を使用すると良い。
【００３８】
該溝４は、上記の仕切り板５を差し込んで固定できるように、上部が広く、下部になるに従って狭くなっている。
【００３９】
該溝幅は、使用する仕切り板５に合わせて形成される。溝上部の幅が０．５ｍｍ〜３ｍｍ程度が好ましい。あまり広いと、交差部分が大きくなり、見栄えも悪くなる。
【００４０】
該溝は、この実施例に限定されるものではなく、任意に形成することができる。縦溝、横溝の他に、斜めの溝や曲線の溝など、様々な溝を形成することができ、デザイン性の高い仕切り区画を実現できるものである。
【００４１】
仕切り板は、紙製、布製、樹脂製、薄い金属製など種々のものが使用できる。
【００４２】
溝は、凹形状の溝や楔形状の溝や、段差形状の溝等、仕切り板の形状や用途に応じて適時設計できる。
【００４３】
また、底部に薄い底板を取り付け、該底板に仕切り板を差し込むことのできる細長い切り抜き部を設けても良い。
【００４４】
図４は、本発明による食品用容器の他の実施例を示す図である。
【００４５】
（１）は、細長い切り欠き部が設けられた底板１０を示す。（３）は、切り欠き部１３に差し込んで固定する薄い仕切り板１２を示す。（２）は、食品容器１０の底部に底板１０を置き、細長い切り欠き部１３に薄い仕切り板１２を差し込んで任意の形状に仕切りを設けた状態を示す図である。
【００４６】
底板１０は厚さ３ｍｍの樹脂製板を使用し、切り欠き部の幅は１．５ｍｍとした。仕切り板は、厚さ１．５ｍｍの厚紙を使用した。
【００４７】
細長い切り欠き部１３は、食品容器の内部を自由に仕切るために設けられるものであり、細長い直線状の他に、斜め線状や曲線状や円形など自由に切り欠きを設けることができる。
【００４８】
また、薄い仕切り板１２についても、切り欠き部の形状に従い、薄い平坦な板状の他にも、曲面状など任意の形状とすることができる。
【００４９】
図５は、本発明による食品用容器の他の実施例を示す図である。
【００５０】
このように、細長い切り欠き部が設けられた底板において、各区画を各々デザインすることができる。
【００５１】
各区画においては、図５に示すように、図柄を凹凸状に成形しても良く、図柄を描いたものでも良い。
【００５２】
図柄を凹凸状に成形すると、凹部が水切りの機能を果たすことにもなる。
【００５３】
仕切られた区画に専用の小容器をセットして、おかずの小分け部としても良い。
【００５４】
本発明により、食品用容器において、従来、様々な仕切りが設けられた容器を複数種類製作していたが、本発明では、一つの容器の底板にあらかじめ複数の溝を形成しておき、必要に応じて、任意の溝に仕切り板を差し込んで区画を設計し、収納する料理の種類や大きさ、量に最適な区画を実現できる食品用容器を提供することができる。
【符号の説明】
【００５５】
１  容器本体
２  底板
３  側板
４  溝
５  仕切り板
１０  食品用容器
１１  底板
１２  仕切り板
１３  切り欠き部
【図１】
2019099182.tif 000003
【図２】
2019099182.tif 000004
【図３】
2019099182.tif 000005
【図４】
2019099182.tif 000006
【図５】
2019099182.tif 000007